(57)【要約】【課題】ツマミの上下を共用しながらレンズキャップとリングの隙間が空かないレンズキャップを提供することを目的とする。【解決手段】フィルター等の各種アクセサリーを取り付けるため、内周に所定の呼びのネジが加工されたレンズ前端面と、前記レンズ前端面のネジ部３４に係合すべく径方向に１８０°対向して伸縮可能に設けられ、外周の一部に部分的にネジ係合手段１２を形成し、レンズ前端面を保護するための着脱自在なレンズキャップ手段１０であって、前記ネジ係合手段１２のネジピッチをレンズ前端面のネジピッチの２分の１になるよう構成した。【選択図】図１
2010175580.tif 000002
【特許請求の範囲】
【請求項１】
内周にネジ部を有するレンズ前端面を隠蔽する本体と、
前記本体の外周の一部に前記本体の径方向に対向して伸縮可能に設けられ、前記レンズ前端面の内周のネジ部に係合するネジ係合手段と、を備え
前記ネジ係合手段のネジピッチは、
前記レンズ前端面の内周のネジ部のネジピッチの２分の１である、
ことを特徴とするレンズキャップ。
【請求項２】
内周にネジ部を有するレンズ前端面を隠蔽する本体と、
前記本体の外周の一部に前記本体の径方向に対向して伸縮可能に設けられ、前記レンズ前端面の内周のネジ部に係合し、近接した複数のブロックを有するネジ係合手段と、を備え
前記複数のブロックは、
互いに前記レンズ前端面の内周のネジ部のネジピッチの２分の１ずれた位置に設けられ、
前記複数のブロックのネジピッチは、
前記レンズ前端面の内周のネジ部のネジピッチと同じである、
ことを特徴とするレンズキャップ
【発明の詳細な説明】
【技術分野】
【０００１】
本発明は、カメラの交換レンズ等のレンズを保護するレンズキャップに関するものである。
【背景技術】
【０００２】
近年、デジタル一眼レフカメラの普及に伴い、交換レンズに用いるレンズキャップは合理化が要求されている。
【０００３】
以下に従来のレンズキャップについて説明する。
【０００４】
図４はレンズキャップの使用例を示す斜視図である。
【０００５】
図において２０はレンズキャップであり、ツマミ上２２とツマミ下２４を有するとともに、二つのツマミは、ばね（図示せず）によって外周方向へ突っ張るように押圧されている。
【０００６】
ツマミ上２２とツマミ下２４の外周部にはそれぞれネジ部２６，２８が形成されている。一方、交換レンズ３０にはレンズ３２の端面側に内周にネジ３４を有したリング部３６を有しており、前記レンズキャップ２０のツマミ上２２とツマミ下２４をばねに抗して矢印Ａ，Ｂ方向に掴んでリング部３６の端面に密着装着し、前記レンズ３２を保護するようになっている。
【０００７】
ツマミ上２２とツマミ下２４に形成されたネジ部２６，２８についてさらに詳しく説明する。
【０００８】
図５は交換レンズ３０にレンズキャップ２０を装着した状態の断面図である。
リング３６に形成されたネジ３４は連続した螺旋であるので図３に示す断面の上下ではネジの位相が１８０°違っている。
【０００９】
このネジのピッチをＰとすると、このねじにぴったり勘合するためには前記ツマミ上２２とツマミ下２４に形成されるネジ部２６，２８の位相は１８０°、すなわちＰ／２だけずれている必要がある。
【００１０】
また、特許文献１には、レンズフード及びレンズフィルターのどちらにも装着可能なレンズキャップ取付装置が開示されている。
【特許文献１】特開２００２−０７２２８６号公報
【発明の開示】
【発明が解決しようとする課題】
【００１１】
しかしながら上記の従来の構成では、レンズキャップ２０をリング３６の端面に隙間なく当接させて固定するためにはツマミ上２２とツマミ下２４に形成するネジ部２６，２８の位相を１８０°ずらす必要があり、二つのツマミはよく似た形状ながら異なる部品、異なる金型が必要であった。
【００１２】
仮にこのズレを考慮せず、ツマミ上２２とツマミ下２４を同一の部材を使ってレンズキャップ２０を組み立てて、レンズキャップ２０を交換レンズ３０のリング部３６に装着した状態では図６の様になる。
【００１３】
本例ではツマミ上下ともネジ部２６を有したツマミ上２２を使用した例を示す断面図である。
【００１４】
すなわち、ツマミ上２２のネジ部２６は上下とも同位相なので上はリング３６の端面とレンズキャップ２０の端面は密着するが、下方はネジ３４の半ピッチであるＰ／２だけ隙間が空くこととなる。
【００１５】
この隙間からゴミ、埃が進入するのみならず、キャップ２０を矢印Ｃ方向に押圧すると前記隙間がパチパチと音を発する等の不具合が発生していた。
【００１６】
本発明は上記従来の問題点を解決するもので、ツマミの上下を共用しながらレンズキャップとリングの隙間が空かないレンズキャップを提供することを目的とする。
【課題を解決するための手段】
【００１７】
この目的を達成するために本発明のレンズキャップは、ツマミに形成するネジ部のピッチを、係合する相手のネジピッチの二分の一に構成した。
【００１８】
または、隣接する２つのネジブロックを係合する相手のネジピッチの二分の一に構成した。
【００１９】
これによりレンズキャップのツマミを１８０°位相が違う位置で使用しても同一の部材が使用でき、部品点数、金型点数の削減に寄与することとなる。
【発明の効果】
【００２０】
以上のように本発明は、レンズキャップの２個のツマミ上とツマミ下の部品を共用できるので部品点数の削減および金型の共用化が図れるばかりでなく、組立時のツマミ上とツマミ下の区別がなくなるので作業ミスも防止できるといった優れた効果が得られる。
【００２１】
また、実施の形態２においてはリング部３２のネジ３４と同型状のネジ部が使用できるのでネジピッチが小さくなりすぎず、金型加工も容易である。
【発明を実施するための最良の形態】
【００２２】
本発明記載の発明は、フィルター等の各種アクセサリーを取り付けるため、内周に所定の呼びのネジが加工されたレンズ前端面と、前記レンズ前端面のネジ部に係合すべく径方向に１８０°対向して伸縮可能に設けられ、外周の一部に部分的にネジ係合手段を形成し、レンズ前端面を保護するための着脱自在なレンズキャップ手段であって、前記ネジ係合手段のネジピッチをレンズ前端面のネジピッチの２分の１になるよう構成した。また、前記ネジ係合手段のネジは近接して複数のブロックからなり、前記近接したブロックはレンズ前端面のネジピッチの２分の１ずれて形成されるよう構成したものであり、この構成によって２個のネジ係合手段は同一の部材を使用することが可能であるという作用を有する。
【００２３】
以下、本発明の実施の形態について説明する。
（実施の形態１）
本発明の目的であるレンズキャップの構成および使用方法は従来例で説明した図４に示すものと同一であるので構成の異なる調整の部分について、図１を用いて説明する。
【００２４】
図１は本発明の実施の形態１におけるレンズキャップの装着状態を示す断面図である。図において構成は図２と同じであり、交換レンズ３０のレンズ３２の端面側に内周にネジ３４を有したリング部３６をふさぐ構成である。
【００２５】
図において１０はレンズキャップであり、ツマミ上１２とツマミ下１２を有するとともに、二つのツマミは、ばね（図示せず）によって外周方向である矢印ＤおよびＥ方向へ突っ張るように押圧されている。
【００２６】
ツマミ上１２とツマミ下１２の外周部にはそれぞれネジ部１６が形成されている。
このネジ部１６のピッチは、前記交換レンズ３０のリング部３２の内周に設けられたネジ３４のピッチＰの二分の一ピッチの寸法で構成されており、ツマミ上１２とツマミ下１２は同一部材である。
【００２７】
このレンズキャップ１０を交換レンズ３０のリング部３２に装着すると、図１に示すようにリング部３２のネジ３４の一山の間に前記ツマミ上１２とツマミ下１２のネジ部１６は二山がかみ合う。
【００２８】
リング部３２のネジ３４は上側（Ｄ方向）と下側（Ｅ方向）では１８０°、すなわち二分の一ピッチのズレがあるが、前記ツマミ上１２とツマミ下１２のネジ部１６はネジ３４の二分の一ピッチのネジなのでズレを生じない。
【００２９】
従って前記リング部３２の端面とレンズキャップ１０の端面は隙間なく密着しゴミの進入を防ぐ。
（実施の形態２）
図２は本発明の実施の形態２におけるレンズキャップの要部拡大図であり、図３は同、装着状態を示す断面図である。
【００３０】
実施の形態１で説明したレンズキャップ１０との違いはツマミ上１４とツマミ下１４のネジ部である。
【００３１】
ツマミ上１４とツマミ下１４は同一部材であり、外周に部分的にネジ部１７、１８が構成されている。
【００３２】
このネジ部１７、１８のネジピッチは勘合相手のリング部３２の内周に形成されたネジ３４と同じピッチである。
【００３３】
二つのネジ部１７，１８は位相を二分の一ピッチずらして形成している。
【００３４】
この装着状態を図３で説明すると、ネジ部１７，１８の山ピッチはリング部３２の内周に形成されたネジ３４の二分の一のピッチとなり、リング部３２のネジ３４の一山の間に前記ツマミ上１４とツマミ下１４のネジ部１７，１８がかみ合う。
【００３５】
リング部３２のネジ３４は上側（Ｄ方向）と下側（Ｅ方向）では１８０°、すなわち二分の一ピッチのズレがあるが、前記ツマミ上１４とツマミ下１４のネジ部１７，１８はネジ３４の二分の一ピッチに配されているのでズレを生じない。
【００３６】
従って前記リング部３２の端面とレンズキャップ１０の端面は隙間なく密着しゴミの進入を防ぐ。
【産業上の利用可能性】
【００３７】
本発明によれば、ツマミの上下を共用しながらレンズキャップとリングの隙間が空かないレンズキャップを提供することができるので、銀塩カメラ、デジタルカメラ、ビデオカメラなどのレンズキャップに適用して有用である。
【図面の簡単な説明】
【００３８】
【図１】本発明の実施の形態１におけるレンズキャップ装着時の断面図
【図２】本発明の実施の形態２におけるレンズキャップの要部拡大図
【図３】本発明の実施の形態２におけるレンズキャップ装着時の断面図
【図４】レンズキャップの装着を示す斜視図
【図５】従来のレンズキャップ装着時の断面図
【図６】従来のレンズキャップ装着時の断面図
【符号の説明】
【００３９】
１２    ツマミ上、ツマミ下
１４    ツマミ上、ツマミ下
１６    ネジ部
１７    ネジ部
１８    ネジ部
【図１】
2010175580.tif 000003
【図２】
2010175580.tif 000004
【図３】
2010175580.tif 000005
【図４】
2010175580.tif 000006
【図５】
2010175580.tif 000007
【図６】
2010175580.tif 000008